(57)【特許請求の範囲】
【請求項１】
ＩＰ電話網においてＩＰ電話端末にＩＰ電話サービスを提供するためのＩＰ電話サービスセンタ装置であって、
ＩＰ電話端末からＩＰアドレスと端末識別情報とを含む登録情報を受信し、記憶装置に格納する端末登録手段と、
前記ＩＰ電話端末から受信した登録情報に含まれるＩＰアドレスを用いて、当該ＩＰ電話端末が所定のサービスの提供エリアに存在するか否かを判定し、当該ＩＰ電話端末が前記所定のサービスの提供エリアに存在しないと判定された場合に、前記所定のサービスに替わる代替サービスを決定するサービス決定手段と、
前記サービス決定手段により決定された代替サービスを実行する代替サービス実行手段とを備えるＩＰ電話サービスセンタ装置であり、
前記所定のサービスの提供エリアは、所定の通話品質を満たすＩＰ電話網に割り当てられる所定の番号で始まる電話番号を用いた電話発着信を許可するエリアであり、前記ＩＰ電話サービスセンタ装置は、前記所定のサービスの提供エリアに対応するネットワーク識別情報としてのドメイン名を記録したデータベースを備えており、
前記サービス決定手段は、前記ＩＰ電話端末から受信した登録情報に含まれるＩＰアドレスからネットワーク識別情報としてのドメイン名を求め、当該ドメイン名が前記データベースの中に存在するか否かを判定することにより、前記ＩＰ電話端末が前記所定のサービスの提供エリアに存在するか否かを判定する
ことを特徴とするＩＰ電話サービスセンタ装置。
【請求項２】
前記ＩＰ電話端末が前記所定のサービスの提供エリア外に存在する場合に、前記ＩＰ電話サービスセンタ装置が当該ＩＰ電話端末に対する呼設定要求を他の電話端末から受信した場合において、
前記代替サービス実行手段は、前記他の電話端末に対して前記ＩＰ電話端末が前記所定のサービスの提供エリア外であることを通知し、前記他の電話端末から送信される音声を蓄積し、当該蓄積された音声を前記ＩＰ電話端末に提供するボイスメッセージサービスを実行する機能を備えた請求項１に記載のＩＰ電話サービスセンタ装置。
【請求項３】
前記サービス決定手段により前記ＩＰ電話端末が前記所定のサービスの提供エリアに存在すると判定された場合に、前記記憶装置に格納された登録情報を利用して、前記電話番号を用いた発信及び着信に応じて呼接続処理を実行する呼制御手段を更に備えた請求項１又は２に記載のＩＰ電話サービスセンタ装置。
【請求項４】
ＩＰ電話網においてＩＰ電話端末にＩＰ電話サービスを提供するためのＩＰ電話サービスセンタ装置としての機能をコンピュータに実現させるためのプログラムであって、コンピュータを、
ＩＰ電話端末からＩＰアドレスと端末識別情報とを含む登録情報を受信し、記憶装置に格納する端末登録手段、
前記ＩＰ電話端末から受信した登録情報に含まれるＩＰアドレスを用いて、当該ＩＰ電話端末が所定のサービスの提供エリアに存在するか否かを判定し、当該ＩＰ電話端末が前記所定のサービスの提供エリアに存在しないと判定された場合に、前記所定のサービスに替わる代替サービスを決定するサービス決定手段、
前記サービス決定手段により決定された代替サービスを実行する代替サービス実行手段、
として機能させるプログラムであり、
前記所定のサービスの提供エリアは、所定の通話品質を満たすＩＰ電話網に割り当てられる所定の番号で始まる電話番号を用いた電話発着信を許可するエリアであり、前記コンピュータは、前記所定のサービスの提供エリアに対応するネットワーク識別情報としてのドメイン名を記録したデータベースを備えており、
前記サービス決定手段は、前記ＩＰ電話端末から受信した登録情報に含まれるＩＰアドレスからネットワーク識別情報としてのドメイン名を求め、当該ドメイン名が前記データベースの中に存在するか否かを判定することにより、前記ＩＰ電話端末が前記所定のサービスの提供エリアに存在するか否かを判定する
ことを特徴とするプログラム。
【請求項５】
ＩＰ電話網においてＩＰ電話端末にＩＰ電話サービスを提供するためのＩＰ電話サービスセンタ装置が実行する方法であって、
端末登録手段が、ＩＰ電話端末からＩＰアドレスと端末識別情報とを含む登録情報を受信し、記憶装置に格納する端末登録ステップと、
サービス決定手段が、前記ＩＰ電話端末から受信した登録情報に含まれるＩＰアドレスを用いて、当該ＩＰ電話端末が所定のサービスの提供エリアに存在するか否かを判定し、当該ＩＰ電話端末が前記所定のサービスの提供エリアに存在しないと判定された場合に、前記所定のサービスに替わる代替サービスを決定するサービス決定ステップと、
代替サービス実行手段が、前記サービス決定ステップで決定された代替サービスを実行する代替サービス実行ステップとを備えた方法であり、
前記所定のサービスの提供エリアは、所定の通話品質を満たすＩＰ電話網に割り当てられる所定の番号で始まる電話番号を用いた電話発着信を許可するエリアであり、前記ＩＰ電話サービスセンタ装置は、前記所定のサービスの提供エリアに対応するネットワーク識別情報としてのドメイン名を記録したデータベースを備えており、
前記サービス決定手段は、前記ＩＰ電話端末から受信した登録情報に含まれるＩＰアドレスからネットワーク識別情報としてのドメイン名を求め、当該ドメイン名が前記データベースの中に存在するか否かを判定することにより、前記ＩＰ電話端末が前記所定のサービスの提供エリアに存在するか否かを判定する
ことを特徴とする方法。
【請求項６】
ＩＰ電話網においてＩＰ電話端末にＩＰ電話サービスを提供するためのＩＰ電話サービスセンタ装置であって、
ＩＰ電話端末からＩＰアドレスと端末識別情報とを含む登録情報を受信し、記憶装置に格納する端末登録手段と、
前記ＩＰ電話端末から受信した登録情報に含まれるＩＰアドレスを用いて、当該ＩＰ電話端末が所定のサービスの提供エリアに存在するか否かを判定し、当該ＩＰ電話端末が前記所定のサービスの提供エリアに存在しないと判定された場合に、前記ＩＰ電話端末に対して前記所定のサービスの提供を拒否するサービス決定手段とを備えたＩＰ電話サービスセンタ装置であり、
前記所定のサービスの提供エリアは、所定の通話品質を満たすＩＰ電話網に割り当てられる所定の番号で始まる電話番号を用いた電話発着信を許可するエリアであり、前記ＩＰ電話サービスセンタ装置は、前記所定のサービスの提供エリアに対応するネットワーク識別情報としてのドメイン名を記録したデータベースを備えており、
前記サービス決定手段は、前記ＩＰ電話端末から受信した登録情報に含まれるＩＰアドレスからネットワーク識別情報としてのドメイン名を求め、当該ドメイン名が前記データベースの中に存在するか否かを判定することにより、前記ＩＰ電話端末が前記所定のサービスの提供エリアに存在するか否かを判定する
ことを特徴とするＩＰ電話サービスセンタ装置。
【発明の詳細な説明】
【技術分野】
【０００１】
本発明はＩＰ電話技術に係り、特にＩＰ電話端末が存在しているエリア情報によってＩＰ電話サービスの提供内容を制御する技術に関する。
【背景技術】
【０００２】
現在、ＶｏＩＰ技術を用いたＩＰ電話が広く普及している。また、無線ＬＡＮを用いた移動型のＩＰ携帯電話も登場している。このような状況の中、「０５０」で始まるＩＰ電話サービス専用の電話番号が、一定のエンド・ツー・エンドの通話品質を満たすサービス事業者に割り当てられることになった。
【０００３】
移動型のＩＰ電話の場合、ＩＰ電話端末がＡＰ（アクセスポイント）配下にある場合に通話を行うことができる。しかし、一定のエンド・ツー・エンドでの通話品質を満たすことという条件で事業者毎に「０５０」番号が割り当てられることから、「０５０」を取得していない事業者のネットワークや一般のＬＡＮの配下では、「０５０」番号での発着信を利用できないことが想定される。つまり、「０５０」を取得している事業者のＩＰ電話網に接続されているＡＰであれば、当該ＡＰ配下のＩＰ電話端末は「０５０」番号を用いた発着信のサービスを利用できるが、それ以外のＩＰ網に接続されたＡＰでは「０５０」番号を用いた発着信のサービスを利用できないことが考えられる。
【特許文献１】特開2004-222156号公報
【発明の開示】
【発明が解決しようとする課題】
【０００４】
「０５０」番号を付与することによりユーザの利便性が向上するが、上述したような制限があるために、「０５０」番号を付与された利用者が通話できるエリアやアクセス回線が限定されるという問題がある。
【０００５】
本発明は上記の点に鑑みてなされたものであり、０５０番号の提供エリア外であっても、完全に通話を拒否することなく代替サービスを提供することを可能とする技術を提供することを目的とする。
【課題を解決するための手段】
【０００６】
上記の課題は、ＩＰ電話網においてＩＰ電話端末にＩＰ電話サービスを提供するためのＩＰ電話サービスセンタ装置であって、ＩＰ電話端末からＩＰアドレスと端末識別情報とを含む登録情報を受信し、記憶装置に格納する端末登録手段と、前記ＩＰ電話端末から受信した登録情報に含まれるＩＰアドレスを用いて、当該ＩＰ電話端末が所定のサービスの提供エリアに存在するか否かを判定し、当該ＩＰ電話端末が前記所定のサービスの提供エリアに存在しないと判定された場合に、前記所定のサービスに替わる代替サービスを決定するサービス決定手段と、前記サービス決定手段により決定された代替サービスを実行する代替サービス実行手段とを備えたことを特徴とするＩＰ電話サービスセンタ装置により解決できる。  
前記サービス決定手段は、前記ＩＰアドレスからドメイン名を求め、当該ドメイン名を用いて前記ＩＰ電話端末が前記所定のサービスの提供エリアに存在するか否かを判定するように構成してもよい。
【０００７】
前記ＩＰ電話端末が前記所定のサービスの提供エリア外に存在する場合に、前記ＩＰ電話サービスセンタ装置が当該ＩＰ電話端末に対する呼設定要求を他の電話端末から受信した場合において、前記代替サービス実行手段は、前記他の電話端末に対して前記ＩＰ電話端末が前記所定のサービスの提供エリア外であることを通知し、前記他の電話端末から送信される音声を蓄積し、当該蓄積された音声を前記ＩＰ電話端末に提供するボイスメッセージサービスを実行する機能を備えることができる。
【０００８】
なお、前記所定のサービスとして、ＩＰ電話端末に対し、ＩＰ電話端末であることを識別するための所定の数字から始まる電話番号を割り当て、その電話番号を用いてＩＰ電話の発信及び着信を許容するサービスを利用することができる。
【０００９】
前記ＩＰ電話サービスセンタ装置は、前記サービス決定手段により前記ＩＰ電話端末が前記所定のサービスの提供エリアに存在すると判定された場合に、前記記憶装置に格納された登録情報を利用して、前記電話番号を用いた発信及び着信に応じた呼接続処理を実行する呼制御手段を更に備えることとしてもよい。
【００１０】
また、本発明は、ＩＰ電話網においてＩＰ電話端末にＩＰ電話サービスを提供するためのＩＰ電話サービスセンタ装置であって、ＩＰ電話端末からＩＰアドレスと端末識別情報とを含む登録情報を受信し、記憶装置に格納する端末登録手段と、前記ＩＰ電話端末から受信した登録情報に含まれるＩＰアドレスを用いて、当該ＩＰ電話端末が所定のサービスの提供エリアに存在するか否かを判定し、当該ＩＰ電話端末が前記所定のサービスの提供エリアに存在しないと判定された場合に、前記ＩＰ電話端末に対して前記所定のサービスの提供を拒否する手段とを備えたことを特徴とするＩＰ電話サービスセンタ装置として構成することもできる。  
【発明の効果】
【００１１】
本発明によれば、ＩＰ電話端末から受信した登録情報に含まれるＩＰアドレスを用いて、当該ＩＰ電話端末が所定のサービスの提供エリアに存在するか否かを判定し、当該ＩＰ電話端末が所定のサービスの提供エリアに存在しないと判定された場合に、所定のサービスに替わる代替サービスを決定し、その代替サービスを所定のサービスに替えて実行する。従って、所定のサービスが０５０番号サービスである場合において、ＩＰ電話端末が０５０番号サービス提供エリア外にあっても、通信が完全に拒否されることなく代替サービスを利用できる。つまり、０５０番号サービス提供エリア外の利用者に対する０５０番号サービスの提供が拒否されても、他の代替サービスを利用できる。
【発明を実施するための最良の形態】
【００１２】
以下、図面を参照して本発明の実施の形態について説明する。
【００１３】
（システムの概要）
図１に、本実施の形態におけるシステムの構成例を示す。図１に示すように、０５０番号の使用を許可されているＩＰ電話網１と、０５０番号の使用を許可されていないＩＰ網２が接続されている。そして、ＩＰ電話網１には、本発明に係る処理を実行するＩＰ電話サービスセンタ装置３が接続されている。ＩＰ電話サービスセンタ装置３は、ＩＰ電話サービスを提供するための呼制御サーバの機能を含むこととしてもよいし、呼制御サーバとは別の装置としてもよい。
【００１４】
本実施の形態では、ＩＰ電話端末は、小型ＰＣ、ＰＤＡ、ＩＰ携帯電話等の移動型の無線端末であるものとし、ＩＰ電話網１もしくはＩＰ網２にアクセス回線を経由して接続されたＡＰ（アクセスポイント）配下で通信を行うものとする。図１の例では、ＩＰ電話端末ＡがＩＰ電話網１のＡＰ１１配下にあり、ＩＰ電話端末ＢがＩＰ電話網１のＡＰ１２配下にあり、ＩＰ電話端末ＣがＩＰ網２のＡＰ２１配下にある。各ＡＰは、ＩＰ電話端末にエリアに応じたＩＰアドレスを付与する機能を有している。このＩＰアドレスのネットワークアドレス部により、ＩＰ電話端末が存在しているネットワークエリアを判別できる。また、各ＩＰ電話端末には０５０番号が付与されているものとする。
【００１５】
このシステムにおける動作の一例の概要を図２と図３を用いて説明する。
【００１６】
まず、図２を参照してＩＰ電話端末ＡがＩＰ電話網１に接続されたＡＰ１１の配下に存在している場合の動作を説明する。
【００１７】
ＩＰ電話端末Ａは、ＩＰ電話サービスの利用のために、ＡＰ１１のエリアにおいて付与されたＩＰアドレス及びＩＰ電話端末Ａの識別情報（ＩＤ等）を含む登録要求をＩＰ電話サービスセンタ装置に送信する（ステップＳ１）。ＩＰ電話サービスセンタ装置３は、登録要求に含まれる情報をデータベースに記録することによりＩＰ電話端末Ａを登録する。
【００１８】
なお、この識別情報はＩＰ電話端末Ａを一意に識別可能なものであり、ＩＰ電話網１はこの識別情報と電話番号とが対応付けられたデータベースを有し、上記の登録によって、ＡＰ１１配下に存在するＩＰ電話端末Ａへの０５０番号着信が可能となっている。
【００１９】
ここで、ＩＰ電話サービスセンタ装置３は、受信した登録要求に含まれるＩＰアドレスから、ＩＰ電話端末Ａが存在するネットワークエリアを識別し、そのエリアが０５０番号サービス提供可能エリアであるか否かを判定する。図２の場合、０５０番号サービス提供可能エリアであるので、ＩＰ電話サービスセンタ装置３は、ＩＰ電話端末Ａに対する０５０番号を用いたサービスを許可する旨の応答をＩＰ電話端末Ａに返す（ステップＳ２）。この後、ＩＰ電話端末Ａは、他のＩＰ電話端末Ｂや一般加入電話との間で０５０番号を用いた電話の発着信を行うことができる（ステップＳ３）。
【００２０】
次に、ＩＰ電話端末Ａが、０５０番号を用いたＩＰ電話サービスが許可されていないＩＰ網２のＡＰ２１配下に移動した場合について図３を参照して説明する。
【００２１】
図２の場合と同様に、ＩＰ電話端末Ａは、登録要求をＩＰ電話サービスセンタ装置３に送信する（ステップＳ１１）。ＩＰ電話サービスセンタ装置３は、登録要求に含まれるＩＰ電話端末ＡのＩＰアドレスにより、ＩＰ電話端末Ａが０５０番号サービス提供可能エリアにいないと判定する。この場合、ＩＰ電話サービスセンタ装置３は、ＩＰ電話端末Ａがエリア外である旨の情報を登録情報に追加することにより０５０番号を用いた通常の発着信を拒否する設定を行うが、代替手段として、ＩＰ電話端末Ａに対する０５０番号の着信があった場合には、発信元からの音声をボイスメッセージとして蓄積する設定を行う。そして、ＩＰ電話端末Ａに対して０５０番号サービス提供可能エリア外である旨と着信時にボイスメッセージサービスを行う旨の通知を行う（ステップＳ１２）。なお、代替手段を用いないこととすることも可能である。
【００２２】
その後、例えばＩＰ電話端末ＢからＩＰ電話端末Ａの０５０番号に対して呼設定要求があると、ＩＰ電話サービスセンタ装置３はＩＰ電話端末Ｂからの音声をボイスメッセージ蓄積部に蓄積する（ステップＳ１３）。そして、ＩＰ電話端末Ａからの要求（ステップＳ１４）に応じて、蓄積された音声がＩＰ電話端末Ａに提供される（ステップＳ１５）。
【００２３】
（ＩＰ電話サービスセンタ装置３の機能構成）
上記のような動作を実現させるためのＩＰ電話サービスセンタ装置３の機能構成例を図４に示す。図４に示すように、ＩＰ電話サービスセンタ装置３は、ネットワーク通信部３１、端末登録部３２、サービス決定部３３、呼制御部３４、代替サービス実行部３５、記憶部３６を有している。
【００２４】
ネットワーク通信部３１は、ＩＰネットワークを介してデータ通信を行うための機能を備えている。端末登録部３２は、ＩＰ電話端末からの登録要求を受け付け、ＩＰアドレスと識別情報とを関連付けて記憶部３６内のデータベースに格納する機能を有している。また、端末登録部３２は、端末登録時にサービス決定部３３に処理を渡す機能を有している。  
サービス決定部３３は、ＩＰ電話端末の登録時にＩＰ電話端末から受信するＩＰアドレスに基づき、記憶部３６に格納されたデータベースを参照することにより、登録要求を送信したＩＰ電話端末が存在するネットワークエリアが０５０番号サービス提供可能エリアであるか否かを判定し、更に、エリア外である場合にはＩＰ電話端末に対応する代替サービスを決定する機能を備えている。
【００２５】
呼制御部３４は、呼の接続、切断等のＩＰ電話において必要な信号処理を行う機能を備えており、例えばＳＩＰに基づくシグナリングを実行する機能を備えている。また、端末からの呼設定要求に応じて代替サービスを実行するか否かを判定する機能も備えている。
【００２６】
代替サービス実行部３５は、ＩＰ電話端末が０５０番号サービス提供エリア外で有る場合に代替サービスを実行する機能を備えている。
【００２７】
記憶部３６は、ＩＰ電話端末の登録情報を記録した端末登録データベースと、０５０番号サービスの提供可能エリアを記録した提供可能エリアデータベースと、ＩＰ電話端末毎に、ＩＰ電話端末が０５０番号サービス提供可能エリア外に存在する場合に提供される代替サービスを記録した代替サービスデータベースを含んでいる。
【００２８】
ＩＰ電話サービスセンタ装置は、ＣＰＵ、メモリやハードディスク等の記憶装置、通信インターフェース、入出力装置等を備えた一般的なコンピュータであり、上記の各機能部は、本発明に係るプログラムが当該コンピュータ上で実行されることにより実現されるものである。
【００２９】
（ＩＰ電話サービスセンタ装置３の動作）
上述したような機能構成を持つＩＰ電話サービスセンタ装置３の動作について以下説明する。
【００３０】
最初に図５を参照して、あるＩＰ電話端末Ｘが登録要求を行い、その後、当該ＩＰ電話端末が呼設定要求（発信）を行う場合の動作について説明する。
【００３１】
まず、ＩＰ電話端末ＸがＩＰ電話サービスセンタ装置３に対して登録要求を送信する（ステップＳ２１）。登録要求にはＩＰ電話端末ＸのＩＰアドレスと識別情報とが含まれている。ＩＰ電話サービスセンタ装置３の端末登録部３２は、受信した登録要求に含まれる情報を記憶部３６の中の端末登録データベースに格納する（ステップＳ２２）。
【００３２】
図６に端末登録データベースの内容例を示す。図６に示すように、端末登録データベースには、ＩＰ電話端末の識別情報とＩＰ電話端末のＩＰアドレスとが対応付けて記録される。また、エリア内／外、代替サービスの内容が記録されるが、これらはこの後の処理で決定されるものである。
【００３３】
図５に戻り、端末登録部３２は、登録要求を受けたことに応じてＩＰ電話端末ＸのＩＰアドレスをサービス決定部３３に渡すことにより、サービス決定部３３に処理を移す。サービス決定部３３は、記憶部３６内における提供可能エリアデータベースの情報とＩＰ電話端末ＸのＩＰアドレスのネットワークアドレス部とを比較することより、ＩＰ電話端末Ｘが０５０番号サービス提供可能エリアに存在するか否かを判定する（ステップＳ２３）。
【００３４】
図７に提供可能エリアデータベースの内容例を示す。図７に示すように、０５０番号サービスの提供が可能であるエリアに対応するネットワークアドレスが記録されている。サービス決定部３３は、ＩＰ電話端末ＸのＩＰアドレスのネットワークアドレス部を用いて図７のデータベースを検索し、ヒットした場合にエリア内であると判定し、ヒットしなかった場合にエリア外であると判定する。
【００３５】
なお、図７のようにアドレスを用いる代わりに、０５０番号サービス提供可能エリアをネットワークドメインで表してもよい。この場合、ＩＰ電話端末ＸのＩＰアドレスからドメイン名を逆引きし、そのドメイン名をデータベースと照合することによりエリア内か外かを判定する。
【００３６】
図５のステップ２３において、０５０番号サービス提供可能エリア内であれば、端末登録データベースにＩＰ電話端末Ｘがエリア内であることを記録し、０５０番号サービス提供が可能である旨のメッセージを含む登録受付メッセージをＩＰ電話端末Ｘに送信する（ステップ２４）。
【００３７】
ステップ２３において、エリア外である場合、サービス決定部３３は、受信したＩＰ電話端末Ｘの識別情報に基づき代替サービスデータベースを検索し、ＩＰ電話端末Ｘの代替サービスを決定し、端末登録データベースに記録する（ステップＳ２５）。そして、ＩＰ電話端末Ｘには、エリア外であることを通知する情報と代替サービスの種類とを含むメッセージを通知する（ステップＳ２６）。図８に代替サービスデータベースの内容例を示す。図８に示すように、代替サービスデータベースにはＩＰ電話端末の識別情報と代替サービスの内容とが対応付けて記録されている。なお、代替サービスが設定されていない場合には、エリア外であることのみを通知することも可能である。この通知は、０５０番号の提供が拒否されたことを意味する。
【００３８】
図５において、その後、ＩＰ電話端末Ｘが通話先の電話番号及び自身の識別情報を含む呼設定要求をＩＰ電話サービスセンタ装置３に対して送信する（ステップＳ２７）。ＩＰ電話サービスセンタ装置３は、ＩＰ電話端末Ｘの識別情報を用いて端末登録データベースを検索し、ＩＰ電話端末Ｘがエリア内であるか否かを判定し（ステップＳ２８）、エリア内であれば発信を許可し、通常の呼接続処理動作を行う（ステップＳ２９）。
【００３９】
ステップＳ２８においてエリア外であれば、端末登録データベースに記録されている代替サービスに応じた処理を行う（ステップＳ３０）。例えば、エリア外であることをＩＰ電話端末Ｘに通知し、通信相手のメールアドレスを通知する。代替サービスがなければ、エリア外であることを通知し、発信を拒否する。
【００４０】
さて、上記の代替サービスとしては、一例として次のようなものが考えられる。エリア外のＩＰ電話端末から発信があった場合は、（１）発信元端末にエリア外であることを通知し、全ての発信を拒否する、（２）エリア外であることを通知し、ボイスメッセージサービスを提供する、（３）相手がＩＰ電話である場合、相手の識別情報（ＩＤ）を発信端末に通知し、識別情報を用いた通信を許容する、（４）音声通話を拒否するが、相手の電子メールアドレスを通知し、電子メールでの通信を許容する、などが考えられる。
【００４１】
エリア外のＩＰ電話端末に対して他の電話端末から着信があった場合、（１）発信元に、ボイスメッセージサービスを提供する、（２）発信元がＩＰ電話のときには、着信先の識別情報を通知し、識別情報を用いたＩＰ通話を許容する、（３）発信元の音声発信を拒否し、着信先の電子メールアドレスを通知する、などが考えられる。
【００４２】
以下、ある電話端末が、ＩＰ電話端末Ｙ（０５０番号）に対して電話をかけたときのＩＰ電話サービスセンタ装置３の動作について図９を参照して説明する。この場合、上記のボイスメッセージサービスを代替手段として用いるものとする。
【００４３】
まず、呼制御部３４がＩＰ電話端末Ｙへの呼設定要求を受け付ける。呼制御部３４は、呼設定要求に含まれる着信先ＩＰ電話端末Ｙの識別情報を用いて端末登録データベースを検索し、着信先のＩＰ電話端末Ｙが０５０番号サービス提供可能エリア内にいるか、エリア外にいるかを判定する（ステップＳ４１）。
【００４４】
ステップＳ４１において、エリア内であると判定されると、通常の呼接続処理が行われ（ステップＳ４２）、発信端末と着信端末との間で音声通話が行われる。
【００４５】
ステップＳ４１において、エリア外にいると判定されると、代替サービス実行部３５に処理を移す。代替サービス実行部３５は、端末登録データベースから、代替サービスが「ボイスメッセージサービス」であると決定する（ステップＳ４３）。そして、代替サービス実行部３５は、発信端末に対して着信端末が０５０番号サービス提供エリア外に存在するので、連絡内容を音声メッセージとして残すことを依頼するメッセージを音声で通知する（ステップＳ４４）。
【００４６】
発信者が、連絡内容を話している間、代替サービス実行部３５はその音声メッセージをボイスメッセージ蓄積部に蓄積する（ステップＳ４５）。なお、ボイスメッセージ蓄積部はＩＰ電話サービスセンタ装置３内にあってもよいし、外部装置にあってもよい。そして、発信者が話しを終えると、ＩＰ電話端末Ｙを呼び出し、特定の発信者からの音声メッセージが蓄積されたことを音声で通知する（ステップＳ４６）。この通知は、電子メールで行うことも可能である。そして、ＩＰ電話端末Ｙからの要求に応じてＩＰ電話サービスセンタ装置は蓄積された音声メッセージをＩＰ電話端末Ｙに提供する（ステップＳ４７）。
【００４７】
上記の実施の形態では０５０番号サービスを例にとったが、０５０番号に限らず０ＡＪ番号でも同様のサービスを提供可能である。また、ＩＰ電話端末は無線型に限られず、所定の有線アクセス回線を用いてＩＰ電話網に接続するＩＰ電話端末でもよい。
【００４８】
なお、本発明は、上記の実施の形態に限定されることなく、特許請求の範囲内において、種々変更・応用が可能である。
【図面の簡単な説明】
【００４９】
【図１】本発明の実施の形態におけるシステムの構成例を示す図である。
【図２】システムにおける動作の一例を説明するための図である。
【図３】システムにおける動作の一例を説明するための図である。
【図４】ＩＰ電話サービスセンタ装置３の機能構成図である。
【図５】ＩＰ電話サービスセンタ装置３の動作を説明するための図である。
【図６】端末登録データベースの内容例を示す図である。
【図７】提供可能エリアデータベースの内容例を示す図である。
【図８】代替サービスデータベースの内容例を示す図である。
【図９】ＩＰ電話サービスセンタ装置３の動作を説明するための図である。
【符号の説明】
【００５０】
１  ＩＰ電話網
２  ＩＰ網
３  ＩＰ電話サービスセンタ装置
Ａ、Ｂ、Ｃ  ＩＰ電話端末
３１  ネットワーク通信部
３２  端末登録部
３３  サービス決定部
３４  呼制御部
３５  代替サービス実行部
３６  記憶部
【図１】
0004718279.tif 000002
【図２】
0004718279.tif 000003
【図３】
0004718279.tif 000004
【図４】
0004718279.tif 000005
【図５】
0004718279.tif 000006
【図６】
0004718279.tif 000007
【図７】
0004718279.tif 000008
【図８】
0004718279.tif 000009
【図９】
0004718279.tif 000010